(57)【要約】      （修正有）【課題】インターネット上でユーザー同士が通話する為のソフトウエアＩＰ電話Ｓｋｙｐｅ（登録商標）を利用したマイクロホン、イヤホン、片コード巻取りリール付きＳｋｙｐｅ（登録商標）通話専用のネックストラップ付きＵＳＢ通話システムを提供する。【解決手段】ネックストラップが移動中に何かに挟まれたときに安全に外れる安全具と通話だけでなくパソコンに取り込んだ音楽も高音質で聴くことが出来るステレオイヤホンとイヤホンの音量調節が可能なボリュームとマイクとネックストラップの長さを調節可能なアジャスタと組み紐とを備えたネックストラップ部と、通話手段としてネックストラップ部とパソコンとの接続に使用する引き出し可能なＵＳＢプラグ付きＵＳＢオーディオ変換回路とＵＳＢメモリーとＵＳＢプラグ引出し用リングとコード巻取りリールと着脱式先端クリップとを備えたホルダー部とでネックストラップ付きＵＳＢ通話システムを構成する。【選択図】図１
2007202089.tif 000002
【特許請求の範囲】
【請求項１】
本発明はネックストラップが移動中に何かに挟まれたときに安全に外れる安全具と通話だけでなくパソコンに取り込んだ音楽も高音質で聴くことが出来るステレオイヤホンとイヤホンの音量調節が可能なボリュームとマイクとネックストラップの長さを調節可能なアジャスタと組み紐とを備えたネックストラップ部と、通話手段としてネックストラップ部とパソコンとの接続に使用する引き出し可能なＵＳＢプラグ付きＵＳＢオーディオ変換回路とＵＳＢメモリーとＵＳＢプラグ引出し用リングとコード巻取りリールと着脱式先端クリップとを備えたホルダー部とを一体化したことからなることを特徴とするネックストラップ付きＵＳＢ通話システム。
【請求項２】
ＵＳＢプラグ付きＵＳＢオーディオ変換回路を介して、Ｓｋｙｐｅ通話を行なうことが可能なコード巻取り部と着脱式先端クリップとをコンパクトに収納したことにより、社内で社員証、名札等のカードホルダーを同時に持ち歩くことが出来、着脱式先端クリップにより着脱が容易になる請求項１に記載のＳｋｙｐｅ通話専用のネックストラップ付きＵＳＢ通話システム。
【請求項３】
ＵＳＢプラグ付きＵＳＢオーディオ変換回路に内蔵されているＵＳＢメモリーにより個人データを名札等のカードホルダーと同時に持ち歩くことが出来る請求項１に記載のＳｋｙｐｅ通話専用のネックストラップ付きＵＳＢ通話システム。
【請求項４】
本ネックストラップ付きＵＳＢ通話システムはパソコンのＵＳＢコネクタを使用する為、従来の３．５Φのマイク端子とヘッドホン端子は未使用の為パソコンのスピーカを活かす事ができ、又は外部スピーカーにも接続可能となる請求項１に記載のＳｋｙｐｅ通話専用のネックストラップ付きＵＳＢ通話システム。
【請求項５】
従来のネックストラップは、移動中に何かに挟まれた時にそのまま引き込まれるという危険性があったが、本発明は５ｋｇ以上の負荷がかかると安全に外れる安全具をネックストラップの途中に組み込んだことによって安全性を確保出来る請求項１に記載のＳｋｙｐｅ通話専用のネックストラップ付きＵＳＢ通話システム。
【請求項６】
ネックストラップ部とホルダー部の連結に感電又は外出時の落雷の危険性を回避する為、金具及び金属ねじを使用せずにプラスチックねじにて固定し、ＵＳＢプラグ付きＵＳＢオーディオ変換回路もプラスチックケースの中に収納可能な構造にする事により安全性を確保できる請求項１に記載のＳｋｙｐｅ通話専用のネックストラップ付きＵＳＢ通話システム。
【請求項７】
本ネックストラップ付きＵＳＢ通話システムを身に着ける事により、どこでもＳｋｙｐｅ通話を行なうことが容易になり、未使用時はコード巻取り部により通話用のコードはホルダー部に巻き取り収納できる為、通話用ヘッドセットを携帯する煩わしさも解消され、且つ机上での作業の妨げにならない請求項１に記載のＳｋｙｐｅ通話専用のネックストラップ付きＵＳＢ通話システム。
【発明の詳細な説明】
【技術分野】
【０００１】  本発明は、インターネット上でユーザー同士が通話する為のソフトウエアＩＰ電話Ｓｋｙｐｅを利用したマイクロホン、イヤホン、片コード巻取りリール付きＳｋｙｐｅ通話専用のネックストラップ付きＵＳＢ通話システムに関する。
【背景技術】
【０００２】  インターネット上でユーザー同士が通話する為のソフトウエアＩＰ電話Ｓｋｙｐｅを利用した無料通話が実用化されている。
インターネットを介して固定電話や携帯電話との通話も可能である。
また通話だけでなく、パソコンのヘッドホン端子を利用してデジタルオーディオ機器と同様な音質で再生した音楽を聴くことも可能である。
通話手段として使用するマイク付きヘッドホンとパソコンとの接続は、３．５Φのマイク端子及びヘッドホン端子を介して行なうか、又はＵＳＢコネクタを利用したハンディホンによる通話が実用化されている。
また市販されている通話用ヘッドセットの構造としては、ヘッドホンとマイクは一体化され、３．５Φのプラグ付きケーブルを組み合わせた製品が実用化されている。
【発明の開示】
【発明が解決しようとする課題】
【０００３】  従来、市販されている通話用ヘッドセットを利用してＳｋｙｐｅ通話を行なう場合３．５Φのプラグ付きヘッドホン端子とマイク端子をパソコンに接続して通話を行なうがケーブル長が長い為、業務上作業の妨げになるいう欠点があった。
また近年会社の身分証明証、名札、社員証、社内専用携帯電話機などネックストラップを利用して携帯し移動することが一般的になってきたため、Ｓｋｙｐｅ通話用のヘッドセットを併せて携帯する事が煩わしく思えるという欠点があった。
またネックストラップの構造上、移動中に何かに挟まれるという危険性もあり安全面で配慮されていないという欠点があった。
またネックストラップと着脱式先端クリップの取付け連結部は構造上、何らかの金具又は金属ねじを使用しているため、感電又は外出時の落雷の危険性もあるという欠点があった。
また出張、旅行先でＳｋｙｐｅ通話を行なう為に、通話用ヘッドセットを携帯するには嵩張るという欠点があった。【０００４】  本発明は、以上のような欠点を鑑みＳｋｙｐｅ通話を行なう場合の作業性とネックストラップの着脱式先端クリップの利便性および安全性を確保すると同時に、引き出し可能なＳｋｙｐｅ通話用のＵＳＢプラグ付きＵＳＢオーディオ変換回路及びＵＳＢメモリーを内蔵したネックストラップ付きＵＳＢ通話システムを提供することを目的とする。
【課題を解決するための手段】
【０００５】  上記目的を達成するために、本発明はネックストラップが移動中に何かに挟まれたときに安全に外れる安全具と通話だけでなくパソコンに取り込んだ音楽も高音質で聴くことが出来るステレオイヤホンとイヤホンの音量調節が可能なボリュームとマイクとネックストラップの長さを調節可能なアジャスタと組み紐とを備えたネックストラップ部と、通話手段としてネックストラップ部とパソコンとの接続に使用する引き出し可能なＵＳＢプラグ付きＵＳＢオーディオ変換回路とＵＳＢメモリーとＵＳＢプラグ引出し用リングとコード巻取りリールと着脱式先端クリップとを備えたホルダー部とでネックストラップ付きＵＳＢ通話システムを構成する。
またホルダー部の構造として、適切な長さまでＵＳＢコネクタのプラグ付コードを引き出しＳｋｙｐｅ通話を行なうことが可能なコード巻取り部と着脱式先端クリップとをコンパクトに収納し、更にネックストラップ部とホルダー部の連結には感電又は外出時の落雷の危険性を回避する為、金具及び金属ねじを使用せずにプラスチックねじにて固定し、ＵＳＢプラグ付きＵＳＢオーディオ変換回路とＵＳＢメモリーもプラスチックケースの中に収納可能な実用的で廉価なネックストラップ付きＵＳＢ通話システムを提供する。
【発明の効果】
【０００６】  上述したように本発明のネックストラップ付きＵＳＢ通話システムは、ネックストラップ部とホルダー部の構成要素を一体化し、且つコンパクトに収納し実用性を追求した結果、下記に説明する効果が得られる。【０００７】  ＵＳＢプラグ付きＵＳＢオーディオ変換回路を介して、Ｓｋｙｐｅ通話を行なうことが可能なコード巻取り部と着脱式先端クリップとをコンパクトに収納したことにより、社内で社員証、名札等のカードホルダーを同時に持ち歩くことが出来、着脱式先端クリップにより着脱が容易になるという効果がある。【０００８】  ＵＳＢプラグ付きＵＳＢオーディオ変換回路に内蔵されているＵＳＢメモリーにより個人データを名札等のカードホルダーと同時に持ち歩くことが出来るという効果がある。【０００９】  本ネックストラップ付きＵＳＢ通話システムはパソコンのＵＳＢコネクタを使用する為、従来の３．５Φのマイク端子とヘッドホン端子は未使用の為パソコンのスピーカを活かす事ができ、又は外部スピーカーにも接続できるという効果がある。【００１０】  本ネックストラップ付きＵＳＢ通話システムを身に着ける事により、どこでもＳｋｙｐｅ通話を行なうことが容易になり、未使用時はコード巻取り部により通話用のコードはホルダー部に巻き取り収納できる為、通話用ヘッドセットを携帯する煩わしさも解消され、且つ机上での作業の妨げにならないという効果がある。【００１１】  従来のネックストラップは、移動中に何かに挟まれた時にそのまま引き込まれるという危険性があったが、本発明は５ｋｇ以上の負荷がかかると安全に外れる安全具をネックストラップの途中に組み込んだことによって安全性を確保出来るという効果がある。【００１２】  ネックストラップ部とホルダー部の連結に感電又は外出時の落雷の危険性を回避する為、金具及び金属ねじを使用せずにプラスチックねじにて固定し、ＵＳＢプラグ付きＵＳＢオーディオ変換回路もプラスチックケースの中に収納可能な構造にする事により安全性を確保できるという効果がある。
【発明の実施するための最良の形態】
【００１３】  以下、本発明の実施の形態を図１〜図３に基づいて説明する。
【００１４】  図１はネックストラップ付きＵＳＢ通話システムによりＳｋｙｐｅ通話を行なう場合の一実施の形態を示す概観図であり、ネックストラップ部１又はホルダー部８が移動中に何かに挟まれたときに安全に外れる安全具２と通話だけでなくパソコンに取り込んだ音楽も高音質で聴くことが出来るステレオイヤホン４とイヤホンの音量調節が可能なボリューム５とマイク６とネックストラップの長さを調節可能なアジャスタ３と組み紐７とを備えたネックストラップ部１と、通話手段としてネックストラップ部１とパソコンとの接続に使用する引き出し可能なＵＳＢプラグ付ＵＳＢオーディオ変換回路９とＵＳＢオーディオ変換回路９に内蔵のＵＳＢメモリー１０とＵＳＢプラグ引出し用リング１２とコード巻取りリール１１と着脱式先端クリップ１３とを備えたホルダー部８とでネックストラップ付きＵＳＢ通話システムを構成されている。
カードホルダー１４は着脱式先端クリップ１３に取り付ける社員証、名札等を収納しているホルダーである。
パソコン１５はＵＳＢプラグが接続可能なＵＳＢコネクタが実装されているものとする。
【００１５】  図１の構成において、適切な長さまでＵＳＢプラグ付ＵＳＢオーディオ変換回路９を引き出し、Ｓｋｙｐｅ通話を行なうことが可能なコード巻取りリール１１と着脱式先端クリップ１３とをコンパクトに収納し、更にネックストラップ部１とホルダー部８の連結には感電又は外出時の落雷の危険性を回避する為、金具及び金属ねじを使用せずにプラスチックねじにて固定し、ＵＳＢプラグ付ＵＳＢオーディオ変換回路９とＵＳＢオーディオ変換回路９に内蔵のＵＳＢメモリー１０とを図２に示す形態とし１筐体に収納される。
【００１６】  以下、上記構成の動作を説明する。
ネックストラップ付きＵＳＢ通話システムによりＳｋｙｐｅ通話を行なう場合、ネックストラップ部１を首に掛け、ステレオイヤホン４を耳に宛がう。
パソコン１５との接続はＵＳＢプラグ付ＵＳＢオーディオ変換回路９をＵＳＢコネクタのプラグ引出し用リング１２により適切な長さまで引出し、ＵＳＢコネクタへ差し込む。
パソコン１５がＳｋｙｐｅ通話可能な状態となっていることを確認し、通話相手に対して発信すると通話が開始できる。
通話音量の調整はボリューム５により適切な音量に調節できる。
Ｓｋｙｐｅ通話終了後は、パソコン１５に接続したＵＳＢプラグ付ＵＳＢオーディオ変換回路９を引き抜き、ホルダー部８よりコードを２０ｍｍ程度引き出した後緩めることにより、ＵＳＢオーディオ変換回路９はコード巻取りリール１１にて巻き取られホルダー部８に収納される。
着脱式先端クリップ１３に社員証、名札等を取り付けたまま上記操作が可能な為机上での作業の妨げにならない。
またパソコン１５に内蔵されている音楽もＵＳＢオーディオ変換回路９を介して高音質で聴くことが出来るステレオイヤホン４を使用しているため、Ｓｋｙｐｅ通話をしていないときは音楽鑑賞のツールとしても利用可能である。
【図面の簡単な説明】
【００１７】
【図１】本発明の一実施の形態を示す概観図である。
【図２】本発明のホルダー部の正面図である。
【図３】本発明のホルダー部の背面図である。
【符号の説明】
【００１８】１  ネックストラップ部
２  安全具
３  アジャスタ
４  ステレオイヤホン
５  ボリューム
６  マイク
７  組み紐
８  ホルダー部
９  ＵＳＢオーディオ変換回路
１０  ＵＳＢメモリー
１１  コード巻取りリール
１２  ＵＳＢプラグ引出し用リング
１３  着脱式先端クリップ
１４  カードホルダー
１５  パソコン
【図１】
2007202089.tif 000003
【図２】
2007202089.tif 000004
【図３】
2007202089.tif 000005